(57)【要約】   【課題】軒樋の前壁上端部と屋根下端との間隔が狭い場合でも軒樋内継手を軒樋内に容易に挿入することができる軒樋内継手を提供する。  【解決手段】  軒樋内継手４７は上部材４８と下部材４９で形成される。下部材４９は前壁部５１と後壁部５２と底壁部５３から成り、後壁部５２は後壁４３の略１／２の高さで、後壁部５２の上端部５２ａと前壁部５１の略１／２の高さ位置を連結する第一補強材５４を備える。上部材４８は前部５６と後部５７が底部としての第二補強材５８で連結される。下部材４９の前壁部５１の上端部５１ａには前耳４２ｂと係合する係合部５１ｂが第一斜片５１ｃ（幅Ｔ１）を備えて設けられる。上部材４８の前部５６の上端部５６ａに第一斜片５１ｃに沿って係止する第二斜片５６ｂ（幅Ｔ２）が設けられる。ここで、Ｔ１＜Ｔ２の関係に形成される。【選択図】  図１
2008208534.tif 000002
【特許請求の範囲】
【請求項１】
前壁と後壁と底壁からなる一対の軒樋を連結する上部材と下部材から成る軒樋内継手であって、
前記軒樋の前壁と後壁のそれぞれ上端部に軒樋の内部側に突出する第一突起と第二突起を備え、
前記下部材は前壁部と後壁部と底壁部から成り、後壁部は前記後壁の略１／２の高さで、この後壁部の上端部と前壁部の略１／２の高さ位置を連結する第一補強材を備え、前記前壁部と後壁部と底壁部が前記軒樋に接着するとともに前壁部の上端部に前記第一突起と係合する係合部が設けられ、この係合部は前記軒樋の内側上方に向けて第一斜片を備え、
前記上部材は前部と後部が底部としての第二補強材で連結されて成り、この上部材を前記軒樋に挿入すると、前記後部はその上端部が前記第二突起に係止されるとともに前記軒樋の後壁に接着し、前記第二補強材が第一補強材に当接した状態で前記第一斜片に係止する第二斜片が前記前部の上端部に設けられることを特徴とする軒樋内継手。
【請求項２】
請求項１に記載の軒樋内継手であって、前記第一突起と第二突起は前記軒樋に備える前耳と後耳であることを特徴とする軒樋内継手。
【請求項３】
請求項１又は請求項２に記載の軒樋内継手であって、前記第二斜片の軒樋の長さ方向の幅が前記第一斜片の幅よりも大きいことを特徴とする軒樋内継手。
【発明の詳細な説明】
【技術分野】
【０００１】
本発明は、建築物の軒先に取付けられる一対の軒樋を継ぐ軒樋内継手の構造に関し、詳しくは、軒樋の前壁上端部と屋根の先端部との間隔が狭い場合でも軒樋内に容易に挿入することができる軒樋内継手に関する。
【背景技術】
【０００２】
従来、一対の軒樋を長手方向に連結するときには、軒樋の端部同士を突き合わせた状態で、軒樋と略同じ断面形状で合成樹脂材料製等により成形された軒樋内継手を接着剤を介して軒樋の内周面に接着されていた。
【０００３】
ところが、軒樋の前壁上端部と屋根の先端部との間隔が狭い場合は、軒樋内継手を軒樋内に容易に挿入することができないという問題が生じていた。
【０００４】
この問題を解決する方法が特許文献１に開示されている。図９（ａ）に示すように、特許文献１の軒樋内継手２０は軒樋１０内に容易に挿入して一対の軒樋１０を接続するものである。
【０００５】
軒樋内継手２０は断面凹形状で、軒樋１０の前壁１１に添わせる前板部２１と、軒樋１０の底板１３に添わせる底板部２３と、軒樋１０の後壁１２に添わせる後板部２２とを備えている。ここで、後板部２２と底板部２３の間に溝２０ａが形成される。
【０００６】
このため、軒樋１０の前壁１１の上端部１０ａと建物１の屋根２の先端部３との間隔が狭い場合でも、後板部２２は底板部２３に対し鈍角の状態にして、軒樋内継手２０全体が先端部３にぶつからないようにしながら軒樋１０内に容易に入れることができる。
【０００７】
そして、溝２０ａによって後板部２２と底板部２３を鋭角にして後板部２２の上端部を軒樋１０の後壁１２と後耳１２ａとの角に引っ掛けた状態で、後板部２２が後壁１２に沿うまで差入れ操作を行なうことにより軒樋内継手２０全体を軒樋内に容易に差し入れることができる。
【０００８】
ところが、後板部２２の上端部を確実に後壁１２と後耳１２ａとの角に引っ掛けた状態で、後板部２２が後壁１２に沿うまで差入れ操作を行なう際に溝２０ａの裏側が底板１３に接触して接着剤の剥落が発生することがあった。このため、軒樋内継手２０と軒樋１０との間の止水性を確実に確保することができず連結部分から雨水の漏れが生じるという問題があった。
【０００９】
また、溝２０ａによって溝２０ａ近傍における強度が不足しているとともに、軒樋内継手２０は断面凹形状なので軒樋が外部から衝撃を受けると軒樋内継手２０と軒樋が位置ずれしたり外れたりする恐れがあるので強度面で不安定であった。
【００１０】
この軒樋内継手の強度不足の問題を解決する方法が特許文献２に開示されている。図９（ｂ）に示すように、特許文献２の軒樋内継手２０は外継手３１と内継手３２から成り、内継手３２は補強材３４を備える。補強材３４は両端部に設けられた第一係止部３７と第二係止部３８を、内継手３２の所定の場所に設けられた挟持部３９と挟持部３０に着脱自在に嵌め込むことにより架設される。この補強材３４によって両壁片３５を軒樋３３に強固に密着することができるので、軒樋内継手２０と軒樋３３が位置ずれしたり外れたりすることがなくなる。
【特許文献１】特開２００２−２３５４０９号公報
【特許文献２】特開平８−１５８５５２号公報
【発明の開示】
【発明が解決しようとする課題】
【００１１】
ところが、特許文献２の構成によれば、補強材３４の両端の第一係止部３７と第二係止部３８をそれぞれ挟持部３９と挟持部３０に嵌め込む際に、嵌め込み位置調整のために、作業者が軒樋３３内部を覗き込んで位置確認をする必要があった。このため、補強材３４の取付が面倒で作業効率が低下するという問題があった。
【００１２】
そこで、本発明はかかる従来技術の問題に鑑みなされたものであって、軒樋の前壁上端部と屋根の先端部との間隔が狭い場合でも軒樋内継手を軒樋内に接着剤の剥落を発生させずに容易に挿入することができて、強度の高い軒樋内継手を提供することを目的とする。
【課題を解決するための手段】
【００１３】
請求項１の発明は、前壁と後壁と底壁からなる一対の軒樋を連結する上部材と下部材から成る軒樋内継手であって、前記軒樋の前壁と後壁のそれぞれ上端部に軒樋の内部側に突出する第一突起と第二突起を備え、前記下部材は前壁部と後壁部と底壁部から成り、後壁部は前記後壁の略１／２の高さで、この後壁部の上端部と前壁部の略１／２の高さ位置を連結する第一補強材を備え、前記前壁部と後壁部と底壁部が前記軒樋に接着するとともに前壁部の上端部に前記第一突起と係合する係合部が設けられ、この係合部は前記軒樋の内側上方に向けて第一斜片を備え、前記上部材は前部と後部が底部としての第二補強材で連結されて成り、この上部材を前記軒樋に挿入すると、前記後部はその上端部が前記第二突起に係止されるとともに前記軒樋の後壁に接着し、前記第二補強材が第一補強材に当接した状態で前記第一斜片に係止する第二斜片が前記前部の上端部に設けられることを特徴としている。
【００１４】
請求項２の発明は、請求項１に記載の軒樋内継手であって、前記第一突起と第二突起は前記軒樋に備える前耳と後耳であることを特徴としている。
【００１５】
請求項３の発明は、請求項１又は請求項２に記載の軒樋内継手であって、前記第二斜片の軒樋の長さ方向の幅が前記第一斜片の幅よりも大きいことを特徴としている。
【発明の効果】
【００１６】
請求項１記載の発明によれば、前記下部材は前壁部と後壁部と底壁部から成り、後壁部は前記後壁の略１／２の高さで、この後壁部の上端部と前壁部の略１／２の高さ位置を連結する第一補強材を備えるので、前壁部と後壁部は第一補強材によって、その面内剛性を高めることができるので強度の高い軒樋内継手が得られる。
【００１７】
そして、前記上部材は前部と後部が底部としての第二補強材で連結されて成り、この上部材を前記軒樋に挿入すると、前記後部の上端部が前記第二突起に係止されるとともに前記後部が前記軒樋の後壁に接着し、前記第二補強材が第一補強材に当接して前記前部の上端部が前記前壁部の上端部に係止されるので、前記上部材と前記下部材と軒樋は一体化してその強度を高めることができる。
【００１８】
このように、前記軒樋内継手は前記下部材と前記上部材で形成されるので、軒樋の前壁上端部と屋根下端との間隔が狭い場合でも軒樋内継手を別々に軒樋内に容易に挿入してから一体化できるので、接着剤の剥落が発生することもなくなるので均一な接合が可能となり、軒樋内継手と軒樋との間の止水性を確実に確保することができるので連結部分からの雨水漏れがなくなる。
【００１９】
また、この上部材を前記軒樋に挿入して、前記後部の上端部が前記第二突起に係止されるとともに前記軒樋の後壁に接着して、前記第二補強材が第一補強材に当接した状態で前記前部の上端部に設けられた第二斜片を押し込むだけで前記第一斜片に容易に係止することができる。このため、軒樋の前壁上端部と屋根の先端部との間隔が狭い場合でも位置調整のために作業者が軒樋本体内部を覗き込んで位置確認をする必要がないので作業効率が向上する。
【００２０】
請求項２記載の発明によれば、前記第一突起と第二突起は前記軒樋に備える前耳と後耳であるので、軒樋内継手を前記軒樋に係止するための特別な突起が不要と成り汎用的な軒樋に備えられている前耳と後耳が利用できるため、軒樋内継手の汎用性が高まるとともに製作コストが下がる。
【００２１】
請求項３記載の発明によれば、前記第二斜片の軒樋の長さ方向の幅が前記第一斜片の幅よりも大きいので、第一斜片の裏側に位置する第二斜片でも第一斜片側から目視で互いの左右の位置関係を確認できて、前記第二斜片を前記第一斜片の中心位置に容易に合わせることができる。このため、軒樋の前壁上端部と屋根の先端部との間隔が狭い場合でも、位置調整のために作業者が軒樋本体内部を覗き込んで位置確認をする必要がないので作業効率が向上する。
【発明を実施するための最良の形態】
【００２２】
＜軒樋内継手の構成＞  
以下に、本発明の実施形態を図１〜図６に基づいて説明する。
【００２３】
図１、図２、図３、図４に示すように、軒樋４１は前壁４２と後壁４３と底壁４４からなる断面矩形凹状である。軒樋４１の前壁４２の上端部４２ａに第一突起としての前耳４２ｂと後壁４３の上端部４３ａに第二突起としての後耳４３ｂを備え、前耳４２ｂと後耳４３ｂはそれぞれ軒樋４１の内部側に突出する。前壁４２と後壁４３は略垂直で前壁４２の方が後壁４３より高く、底壁４４は前壁４２近傍が一段高い略水平の二段底（４４ａ、４４ｂ）に形成されている。
【００２４】
ここで、軒樋４１は図示しない吊金具を用いて軒先の鼻板４０に取付けられ、屋根４５の先端部４５ａ下方に雨水が巻き込まれて鼻板４０側に流れるのをガイドするための水切り４５ｂが設けられる。
【００２５】
軒樋４１と屋根４５との取付位置の関係は、軒樋４１の前壁４２の上端部４２ａが屋根４５の延長線が当接するように配置され、軒樋出寸法Ｇ１（屋根４５の先端部４５ａと軒樋４１の前壁４２の上端部４２ａとの水平長さ）は、雨樋上幅Ｇ２（軒樋４１の前壁４２と後壁４３のそれぞれ上端部４２ａ、４３ａ間の水平長さ）に対してＧ１≧Ｇ２×（１／２〜２／３）の関係で設定される。屋根４５の先端部４５ａと軒樋４１の前壁４２の上端部４２ａとの実質の隙間Ｇ３は雨樋上幅Ｇ２より僅かに狭く、一般的に６０ｍｍである。
【００２６】
そして、一対の軒樋４１は両端面４１ａを当接させた状態で、軒樋内継手４７を一対の軒樋４１の端部４１ｂに跨げて連結される。ここで、軒樋内継手４７は上部材４８と下部材４９で形成され、上部材４８と下部材４９の最大幅は幅Ｔである。
【００２７】
下部材４９は前壁部５１と後壁部５２と二段底の底壁部５３から成り軒樋４１に前耳４２ｂと後耳４３ｂを除いて内接するように形成され、後壁部５２は後壁４３の略１／２の高さで、この後壁部５２の上端部５２ａと前壁部５１の略１／２の高さ位置を連結する第一補強材５４を備えている。ここで、上記、前壁４２と後壁４３は略垂直で前壁４２の方が後壁４３より高く形成されるので、第一補強材５４は後壁部５２から前壁部５１に向けて立ち上がる斜材である。
【００２８】
前壁部５１と後壁部５２と底壁部５３は軒樋４１の前壁４２と後壁４３と底壁４４に接着剤を用いて接着され、前壁部５１の上端部５１ａは前耳４２ｂに係合される。
【００２９】
上部材４８は前部５６と後部５７が底部としての第二補強材５８で連結される。このとき、第二補強材５８は第一補強材５４に当接するように同じ傾斜勾配で形成される。前部５６と後部５７が第二補強材５８と連結する隅部には補強材Ｐ１、Ｐ２が設けられる。
【００３０】
そして、上部材４８を軒樋４１に挿入すると、後部５７の上端部５７ａが後耳４３ｂに突き当てて係止した状態で後部５７が軒樋４１の後壁４３に接着剤を介して接着され、第二補強材５８は第一補強材５４に当接し、前部５６の上端部５６ａが前壁部５１の上端部５１ａに係止される。好ましくは第二補強材５８と第一補強材５４は接着される。
【００３１】
より詳しくは、図５に示すように、第一補強材５４の後壁部５２の上端部５２ａ近傍は第一補強材５４の両側に後壁部５２の上端部５２ａに沿って平行に突出する突出部５４ａが設けられる。第一補強材５４と同じ幅Ｓを持つ第二補強材５８の後部５７の下端部５７ｂ近傍は第二補強材５８の両側に後部５７の下端部５７ｂに沿って平行に突出する係合部５８ａが下垂する係合片５８ｂを備えて設けられる。
【００３２】
このため、係合片５８ｂによって第一補強材５４の両側を挟んで第二補強材５８を滑らすだけで、第二補強材５８が第一補強材５４の所定の位置まで上下前後左右の三次元的に位置ずれなく案内ガイドできる。また、第二補強材５８によって下部材４の全域に対して押付力が働くので軒樋内継手４７は軒樋４１に確実に密着し係合性を向上することができる。
【００３３】
ここで、下部材４９の前壁部５１の上端部５１ａには前耳４２ｂと係合する係合部５１ｂが設けられ、この係合部５１ｂは軒樋４１の内側上方に向けて第一斜片５１ｃ（幅Ｔ１）を備える。また、上部材４８の前部５６の上端部５６ａに第一斜片５１ｃに沿って係止する第二斜片５６ｂ（幅Ｔ２）が設けられる。そして、Ｔ１＜Ｔ２の関係に形成されるので、軒樋の外側から第二斜片５６ｂと第一斜片５１ｃを同時に目視できる。
【００３４】
このため、図６（ａ）の状態で、軒樋の外側(矢印Ｑで示す)から第二斜片５６ｂと第一斜片５１ｃが同じ中心位置になるように容易に調整できる。そして、位置を確認した後に、図６（ｂ）、（ｃ）に示すように、第二斜片５６ｂを第一斜片５１に指で押し込んで容易に係止できる。このため、軒樋の前壁上端部と屋根の先端部との間隔が狭い場合でも、位置調整のために作業者が軒樋本体内部を覗き込んで位置確認をする必要がないので作業効率が向上する。
【００３５】
＜軒樋内継手の作用＞
図７（ａ）に示すように、下部材４９は後壁部５２を先頭に隙間Ｇ３から軒樋４１内に挿入する。ここで、下部材４９の底壁部５３の第一補強材５４に対する最大挿入幅Ｇ４と、屋根４５の先端部４５ａと軒樋４１の前壁４２の前耳４２ｂの隙間Ｇ３との関係は、Ｇ４≦Ｇ３の関係で形成される。このため、前壁部５１が屋根４５の先端部４５ａに当たらないように矢印Ｙ１のように回転しながら容易に挿入できる。
【００３６】
下部材４９は回転しながら下降を続けて底壁部５３が軒樋４１の底壁４４に平行となった状態で、図７（ｂ）に示すように、前壁部５１と後壁部５２と底壁部５３は軒樋４１の前壁４２と後壁４３と底壁４４にそれぞれ当接する。より詳しくは、後壁部５２は後壁４３の略１／２の高さなので、下部材４９を回転する途中において、底壁部５３が底壁４４に対して十分な空間を保ちながら軒樋４１の底壁４４と平行になるように回転させることができる。
【００３７】
このため、予め軒樋４１の底壁４４に塗布された接着剤の底壁部５３による剥落の発生を防ぐことができるので、軒樋内継手４７を一対の軒樋４１の端部４１ｂに跨げて前壁部５１と後壁部５２と底壁部５３によって確実に連結して止水性を確実に確保することができる。また、下部材４９の前壁部５１と後壁部５２と底壁部５３は軒樋４１の前壁４２と後壁４３と底壁４４に接着剤を用いて接着され、前壁部５１の上端部５１ａの係合部５１ｂは前耳４２ｂに係合されるので、施工時に一対の軒樋４１の端部４１ｂを突き合わせた状態で確実且つ容易に仮接合ができる。
【００３８】
図８（ａ）、図８（ｂ）に示すように、上部材４８を軒樋４１に挿入する際に、上部材４８は凹形状なので凹形状の内部空間Ｇ５の深くまで屋根４５の先端部４５ａを挿入できる。このため、上部材４８は矢印Ｙ２のように回転しながら容易に挿入できる。
【００３９】
そして、後部５７の上端部５７ａが後耳４３ｂに突き当てて係止した状態で、第二補強材５８が第一補強材５４に当接し、上部材４８の第二斜片５６ｂが下部材４９の第一斜片５１ｃに係止される。
【００４０】
このように、軒樋内継手４７を上部材４８と下部材４９の上下分割で形成されるので、軒樋４１と前壁４２の上端部４２ａとの隙間Ｇ３が狭い場合でも、最初に上部材４８を挿入しその後下部材４９を挿入することによって、軒樋内継手４７を軒樋４１内部に容易に挿入できる。
【００４１】
そして、下部材４と上部材４８は第一補強材５４と第二補強材５８とによって軒樋４１の横方向の強度が向上するので、軒樋が外部から衝撃を受けても軒樋内継手４７が外れることがない。
【００４２】
軒樋の外側から第二斜片５６ｂと第一斜片５１ｃが同じ中心位置になるように容易に調整できて第二斜片５６ｂを第一斜片５１に指で押し込んで容易に係止できる。このため、作業者が軒樋内部を覗き込んで位置確認をする必要がなくなるので作業効率が向上する。また、高所施工作業の安全性が高まる。
【００４３】
軒樋と竪樋内継手の材質は、ステンレスや亜鉛メッキをした金属、あるいは軽量化や耐腐食性を考慮して例えば硬質塩化ビニール樹脂等の合成樹脂材料、或いは、金属板の両面に合成樹脂材料を被覆して形成される。
【００４４】
なお、軒樋４１の前壁４２と後壁４３のそれぞれ上端部４２ａ、４３ａに形成される第一突起と第二突起は、前耳４２ｂと後耳４３ｂとは別途に独立した構造で形成して上部材４８或いは下部材４９をそれぞれ係止する構成でも構わない。
【００４５】
以上、本発明の実施例を図面に基づいて説明したが、具体的な構成はこの実施例に限られるものではなく本発明の要旨を逸脱しない範囲の設計変更等があっても本発明に含まれる。
【００４６】
第一補強材５４と第二補強材５８は後壁部５２から前壁部５１に向けて立ち上がる斜材でない場合もある。軒樋４１の断面形状によっては水平材でも構わない。
【００４７】
第一補強材５４の突出部５４ａと第二補強材５８の係合部５８ａは水平状態に限定されず、第一補強材５４と第二補強材５８と同一傾斜面で形成してもよい。
【図面の簡単な説明】
【００４８】
【図１】本発明の実施形態における軒樋内継手と軒樋の組付け状態を示す断面図である。
【図２】本発明の実施形態における軒樋内継手と軒樋の組付け状態を示す一部透視斜視図である。
【図３】本発明の実施形態における、軒樋の後壁側から見た軒樋内継手の分解斜視図である。
【図４】本発明の実施形態における、軒樋の前壁側から見た軒樋内継手の分解斜視図である。
【図５】本発明の実施形態における、上部材の第二補強材を下部材の第一補強材の上に沿って上部材を挿入する状態を示す斜視図である。
【図６】本発明の実施形態における、（ａ）は第一斜片５１ｃと第二斜片５６ｂの互いの位置を調整確認する状態を示す断面図、（ｂ）は第二斜片５６ｂを第一斜片５１ｃに押し込む状態を示す断面図、（ｃ）は第二斜片５６ｂを第一斜片５１ｃに押し込み完了状態を示す断面図である。
【図７】本発明の実施形態における、（ａ）は下部材を後壁部から先に屋根の先端部と軒樋の前壁の先端部との隙間から挿入する状態を示す断面図、（ｂ）は下部材を軒樋に挿入した状態を示す断面図である。
【図８】本発明の実施形態における、（ａ）は上部材を後壁部から先に屋根の先端部と軒樋の前壁の先端部との隙間から挿入する状態を示す断面図、（ｂ）は軒樋に挿入した上部材が下部材の第一補強材と軒樋の前壁と後壁に当接した状態を示す断面図である。
【図９】従来の、（ａ）は軒樋内継手を軒樋に挿入する状態を示す断面図、（ｂ）は軒樋内継手の補強材の取付状態を示す斜視図である。
【符号の説明】
【００４９】
４２ｂ  前耳
４３  後壁
４７  軒樋内継手
４８  上部材
４９  下部材
５１  前壁部
５１ａ  上端部
５１ｂ  係合部
５１ｃ  第一斜片
５２  後壁部
５２ａ  上端部
５３  底壁部
５４  第一補強材
５６  前部
５６ａ  上端部
５６ｂ  斜片
５７  後部
５８  第二補強材
【図１】
2008208534.tif 000003
【図２】
2008208534.tif 000004
【図３】
2008208534.tif 000005
【図４】
2008208534.tif 000006
【図５】
2008208534.tif 000007
【図６】
2008208534.tif 000008
【図７】
2008208534.tif 000009
【図８】
2008208534.tif 000010
【図９】
2008208534.tif 000011